(57)【要約】【課題】発泡樹脂製の断熱材を内外の型枠とするとコンクリートの打設後の仕上がり具合を確認できず、経験不足による施工不良が隠蔽されてしまう欠点を備えていた。そこで、外断熱の外壁側のみ発泡樹脂製の型枠とし、コンクリートの打設面の確認ができるようにし、全体として合板を使わずに工期の短縮、コストダウンを図れるようにした。【解決手段】プラスチック製の複数の連結具２２に発泡ポリスチレン板２１の側縁を順次嵌め込んで構成した外断熱材をかねた外枠２と、プラスチック製の半透明素材から構成した中空状のパネル３ａを順次繋げるようにし解体繰り返し用いることのできる内枠３とからなる。【選択図】図７
2008038483.tif 000002
【特許請求の範囲】
【請求項１】
プラスチック製の複数の連結具に発泡ポリスチレン板の側縁を順次嵌め込んで構成した外枠と、プラスチック製の半透明素材から構成した中空状のパネルを順次繋げるようにして構成した内枠とからなり、外枠はそのまま外断熱材とし、内枠は解体して繰り返し使えるようにしたことを特徴とする外壁用のコンクリート型枠。
【請求項２】
縦長方形の発泡ポリスチレン板の隣り合う長手方向の側縁を受け入れ、セパレータの掛孔を所定間隔で穿った縦縁を備えた断面略土の字状をなすプラスチック製の複数の連結具に発泡ポリスチレン板の側縁を順次嵌め込んで構成した外枠と、一端に鉤状の引っ掛け片を、他端部にスロットを穿ったセパレータと、堰板部と向き合う背面部の間に補強板を介し、側板部は堰板部より内側としかつ背面部より突き出すようにして全体は中空状のパネルとし、堰板部の両側縁にはセパレータの厚みの半分を受け入れる凹部を列設し、側板部の突出した箇所にはセパレータのスロットに対応するスロットを穿つようにしたプラスチック製の半透明素材からなる内枠と、外枠と内枠及び内枠同士を繋ぐために隣り合う内枠のスロットにセパレータのスロットを挟んで刺し込む楔金具及びこの楔金具の長穴に刺し込んで固定する楔金具とからなることを特徴とする外壁用のコンクリート型枠。
【発明の詳細な説明】
【技術分野】
【０００１】
この発明は、外壁用のコンクリート型枠に関するもので、室外側の外枠を断熱材をかねるものとし外断熱施工の容易化、型枠の取り外し作業を不用とし、室内側となる内枠は施工後取り外しコンクリートの打設状況を確認できるようにし、取り外した後は繰り返し使用可能としたものである。
【背景技術】
【０００２】
従来、コンクリート打設用のコンクリート型枠は、内外に対峙させる合板製型枠にて構成するものが多く、数回乃至１０回程度の使い回しはできるものの、その後には解体廃棄処分をしていた。
そのために、金属製の型枠も提案され実際に用いられているが、重量が嵩み取り扱いに不便であった。
プラスチックの型枠も提案されているが、板厚が足りないと、コンクリート打設時に耐えられず、変形、破損が生じることがあった。
【０００３】
一般的にはコンクリート壁を養生固化した後にコンクリート内外壁に沿わせて配置される断熱材そのものをコンクリート型枠とするようにした技術が、特許文献１に提示するよう提案され、工期の短縮、コストダウンに資するとしている。
【特許文献１】特開平２ー３４６５３６
【発明の開示】
【発明が解決しようとする課題】
【０００４】
従来の特許文献１に提示する手段では、発泡樹脂製の断熱材が内外の型枠となり、コンクリート打設、養生、硬化後もそのまま残置されるので、コンクリートの打設後の仕上がり具合を確認できず、経験不足による施工不良が隠蔽されてしまう欠点を備えていた。
【０００５】
そこで、この発明では、快適な生活環境を齎す外断熱の外壁を、合板を使わずに工期の短縮、コストダウンをもってなしうるようにしたもので、しかも、コンクリートの打設面の確認ができるように、内側の型枠を解体、繰り返し使用できるようにしたものである。
【課題を解決するための手段】
【０００６】
この発明はこのような課題を解決するためのもので、請求項１の外壁用のコンクリート型枠は、プラスチック製の複数の連結具に発泡ポリスチレン板の側縁を順次嵌め込んで構成した外枠と、プラスチック製の半透明素材から構成した中空状のパネルを順次繋げるようにして構成した内枠とからなり、外枠はそのまま外断熱材とし、内枠は解体して繰り返し使えるようにしたことを特徴とする。
【０００７】
請求項２の外壁用のコンクリート型枠は、縦長方形の発泡ポリスチレン板の隣り合う長手方向の側縁を受け入れ、セパレータの掛孔を所定間隔で穿った縦縁を備えた断面略土の字状をなすプラスチック製の複数の連結具に発泡ポリスチレン板の側縁を順次嵌め込んで構成した外枠と、一端に鉤状の引っ掛け片を、他端部にスロットを穿ったセパレータと、堰板部と向き合う背面部の間に補強板を介し、側板部は堰板部より内側としかつ背面部より突き出すようにして全体は中空状のパネルとし、堰板部の両側縁にはセパレータの厚みの半分を受け入れる凹部を列設し、側板部の突出した箇所にはセパレータのスロットに対応するスロットを穿つようにしたプラスチック製の半透明素材からなる内枠と、外枠と内枠及び内枠同士を繋ぐために隣り合う内枠のスロットにセパレータのスロットを挟んで刺し込む楔金具及びこの楔金具の長穴に刺し込んで固定する楔金具とからなるものである。
【発明の効果】
【０００８】
この発明は以上のような構成からなるもので、請求項１の発明では、快適な生活環境を齎す外断熱のコンクリート壁を経済的に提供できることになる。すなわち外枠を基本的には発泡ポリスチレン板として、型枠と断熱材を兼ねるようにし、しかもこの外枠はプラスチック製の複数の連結具により繋ぐようにしているので強度を保つことができる。
【０００９】
また、一般的な合板によるコンクリート型枠では、その素材として熱帯雨林の森林資源を用いることが多いが、この発明ではその伐採による減少を避けることができることになる。
外枠及び内枠を樹脂成形品としたのであるが、内枠を半透明部材としたので、コンクリートを打設しながら充填状況を確認できるのである。しかも、内枠はコンクリートの養生、硬化後に解体して繰り返し用いるので、コンクリート壁の仕上がり具合を視認することもでき、工事不良を見過ごすこともない。
【００１０】
請求項２の発明では、セパレータを外枠を構成する連結部材に引っ掛けることで組み付けられることになるので構成が簡単となり部品点数の減少、作業の省力化が可能となったのである。すなわち、従来のセパレータはコンクリート型枠を貫通させるので、内外で作業をしなくてはならなかったが、内側のみで作業ができることになるのである。
また、楔金具を用いてセパレータのスロットを内枠を構成するパネルのスロットに挟んで止め、かつ、この楔金具のスロットに楔金具を打ち込むようにしたので、回転させるねじを用いないので作業がきわめて簡単となる。
【発明を実施するための最良の形態】
【００１１】
以下、図面に示すこの発明の実施の形態に即して説明する。
図１は、この発明にかかわるコンクリート型枠の概要の断面図である。
コンクリート型枠１は、概略外部側の外枠２と内部側の内枠３とからなり、これら外枠２と内枠３を所定の間隔、すなわちコンクリート壁の厚み分離して対峙させるためのセパレータ４及びこれらを結合連結する楔金具５とからなるものである。６は外枠２に横方向に渡したバタ材であり、７は内枠３に渡したバタ材であり、８はバタ材７から床面に至るように配置するターンバックルからなる支保材である。
【００１２】
外枠２は、図２に示すように縦長方形の発泡ポリスチレン板（ＥＰＳ板）２１を多数のプラスチック製の連結具２２にて縦方向に並べて形成するものである。
発泡ポリスチレン板２１は発泡倍率４０倍程度の比較的硬質なものとし、厚みは６５ｍｍ、幅は３００ｍｍ弱とする。ＪＩＳＡ９５１１で規定されている難燃性試験で「火源を後退させると３秒以内に火が消える」グレードを用い断熱材を兼ねるようにする。
連結具２２は、プラスチックの成形品からなるもので、発泡ポリスチレン板２１の隣り合う長手方向の側縁を受け入れる断面Ｈ形板２２１と、セパレータ４の掛孔２２２ａを所定間隔で穿った縦縁２２２を備え全体として断面略土の字状としたものである。尚、縦縁２２２は掛孔２２２ａを設ける箇所のみ断続的に設けるようにしても良い。
組み付けた状態で高さは２８５０ｍｍで、連結具２２同士は中央で３００ｍｍ間隔で配置されるようにする。平坦面である地上で組み付けてから、地中に形成した土台上に建て込むようにする。このとき必要に応じてバタ材６にて外側から支えるようにする。
【００１３】
内枠３は、ポリプロピレン樹脂（ＰＰ）や塩化ビニール樹脂（ＰＶＣ）などの再生プラスチックを素材として押し出し成形により製作され、透明素材或いは半透明素材とすることが望ましく、縦長方形状の中空状のパネル３ａを順次繋げるものとする。パネル３ａは、高さは２７００ｍｍ、幅は３００ｍｍ、厚みは５５ｍｍとする。  
パネル３ａは、堰板部３１と向き合う背面部３２の間に補強板３３を介し、側板部３４は堰板部３１より内側としかつ背面部３２より突き出すようにして全体は中空状として強度を保つようにしている。
堰板部３１の両側縁にはセパレータ４の厚みの半分を受け入れる凹部３１１を列設し、側板部３４の突出した箇所にはセパレータ４のスロット４２に対応するスロット３４１を穿つようにしている。
【００１４】
複数のパネル３ａを並べると堰板部３１の側端縁が当接して広い堰板を構成し、隣り合う二つのパネル３ａ、３ａの凹部３１１、３１１の当接箇所にセパレータ４の貫通孔を構成することになる。
図示しないが、この貫通孔にはセパレータ４と一体なコーンにて塞ぐようにして打設することでコンクリート成分がしみださないようにしても良い。
側板部３４を背面部３２より突出させたのは、セパレータ４を介して外枠２、内枠３を一体にするとともに並列させるパネル３ａ、３ａ同士を順次繋げるための手段としてのスロット３４１を設けるためである。
【００１５】
図４に示すセパレータ４は、短冊状の金属板にて構成されるもので、一端を鉤状に屈曲させた引っ掛け片４１を、他端部にスロット４２を穿つようにしたものである。
連結具２２の掛孔２２２ａに引っ掛け片４１を差込むようにする。図５参照
側端縁から向き合うように設けた切込み４３は、コンクリートの養生硬化後に内枠３を除去すると、コンクリート壁から突出するセパレータ４のスロット４２を含む一端部を叩き落す際の折れ目となるものである。
【００１６】
楔金具５、５は、図６ａに示すように平板状をなすもので、幅広の頭部５１からスロット５２を穿った本体部５３及び尖端部５４を金属板を打ち抜きなどにより構成するものである。スロット５２の先に穿った丸穴５５は、一対の楔金具５、５は同時に使うので、図示しない鎖や紐でつないでおくためのものである。
【００１７】
外枠２と内枠３及び内枠３を構成するパネル３ａ，３ａ同士を繋ぐために、隣り合うパネル３ａのスロット３４１にセパレータ４のスロット４２を挟んで楔金具５を横方向に刺し込み、このまず刺し込んだ楔金具５の上向きのスロット５２にもう一方の楔金具５を上から刺し込み頭部５１が側板部３４の内面に圧接することになり固定される。楔金具５、５は木槌乃至かなづちなどで叩き込めば良い。
【００１８】
次に、この発明にかかわるコンクリート型枠１の組み立てについて説明する。
まず、広い床面に発泡ポリスチレン板２１，２１及びプラスチック製の連結具２２を並べ、順次発泡ポリスチレン板２１の側縁を連結具２２に嵌め込んで所望の外枠２を形成する。このとき連結具２２乃至発泡ポリスチレン板２１の側縁にシーリング材を塗布することにより抜け落ちないようにすることが望ましい。
【００１９】
次に、所望の箇所に外枠２を建て込むようにする。バタ材６にて外枠２が波打たないようにする。そして、セパレータ４の引っ掛け片４１を連結具２２の掛孔２２２ａに差込み、セパレータ４，４を外枠２と直交するように配置する。
更に、内枠３を構成するパネル３ａ、３ａの堰板部３１の両側縁の凹部３１１，３１１にセパレータ４を嵌め込むようにして建て込む。すると隣り合うパネル３ａ、３ａのスロット３４１，３４１とセパレータ４のスロット４２は対応して横方向矩形の貫通孔となる。ここに、楔金具５を刺し込み、この楔金具５のスロット５２を露出させる。もう一方の楔金具５を露出したスロット５２に上から刺し込み頭部５１が側板部３４に圧接するようにする。刺し込ませるには木槌などで叩き込むようにする。
【００２０】
続いて、角パイプ乃至角材よりなるバタ材７にて内枠３の波うちを押さえ、さらに支保材８を必要数床面とバタ材７に渡してコンクリート型枠１の垂直状態を保つようにする。尚、外枠２及び内枠３の間には図示しないが、鉄筋が配置される。
このようにしてコンクリート型枠１の組み立てが終わってからコンクリートを上から打設する。このとき内枠３が半透明体であるので、コンクリートの充填状況を確認することができる。所要期間養生した後に強度確認してから支保材８、バタ材７を外し、楔金具５、５を尖端から木槌などで叩いて抜き、内枠３を構成するパネル３ａを順次コンクリート壁面と水平に移動させて剥がす。セパレータ４のスロット４２を含む先端はコンクリート壁面から突出しているので、金槌で叩いて切込み４３から落とすようにする。
外枠２はバタ材６を外すのみでそのままの残置する。外枠２の発泡ポリスチレン板２１はコンクリートに付着しやすい傾向があるのでコンクリート壁面と一体となりそのままで外断熱材となる。
【００２１】
コンクリート壁の外側に断熱材が一体に構成されるが、そのままでは耐候性に欠けるので、モルタルを塗布したり、外壁用タイル材にて被覆したり、金属その他各種素材のサイディング材を取り付けるようにする。
同様に、コンクリート壁の内側には各種素材の内装材をもって覆うようにする。
【００２２】
図８、図９はＬ形のコーナーのコンクリート型枠１を示すもので、それぞれ概略平面図及び斜視図である。
コーナーの場合の連結具２２は、角筒柱２２４を介して発泡ポリスチレン板２１の側縁を受け入れる縦溝２２５を一体に形成してなるものである。縦縁２２２は備えないものとする。角筒柱２２４内には図示しないが角柱状の発泡ポリスチレンを挿入する。
外枠２の出隅の外側に平面及び断面Ｌ形をなす横バタ金具６１をあてがい、図示しないビスにて連結具２２にねじ込むようにすることではらみを防ぐようにする。コーナーの入り隅を構成するパネル３ｂは平面Ｌ形をなすものとする。
【００２３】
コンクリート外壁がＴ型をなす場合も、図１０に示すように平面Ｌ形のパネル３ｂをもって方形のパネル３ａに繋げ内枠３を構成する。
なお、請求項１の発明において、内枠３を構成するパネル３ａを横方向に接合し、繋げるのには図示の実施の形態に限定されず、従来採用されている手段をもってなすこともできる。
【図面の簡単な説明】
【００２４】
【図１】この発明に係るコンクリート型枠の要部断面図である。
【図２】外枠を示すものでａは斜視図、ｂは平面図である。
【図３】内枠の平面図である。
【図４】セパレータを示すもので、ａは正面図、ｂは側面図、ｃは断面図である。
【図５】外枠と内枠及びセパレータの組み立て状況を示す概略斜視図である。
【図６】楔金具を示すもので、ａは斜視図、ｂは使用状態図である。
【図７】コンクリート型枠の組み立て状態を示す平面図である。
【図８】Ｌ形コーナー部のコンクリート型枠を示す平面図である。
【図９】Ｌ形コーナー部のコンクリート型枠を示す斜視図である。
【図１０】Ｔ形外壁を構成する場合のコンクリート型枠の平面図である。
【符号の説明】
【００２５】
１    コンクリート型枠
２    外枠
２１  発泡ポリスチレン板
２２  連結具
３    内枠
３ａ，３ｂ  パネル
４    セパレータ
５    楔金具
６、７  バタ材
８    支保材
【図１】
2008038483.tif 000003
【図２】
2008038483.tif 000004
【図３】
2008038483.tif 000005
【図４】
2008038483.tif 000006
【図５】
2008038483.tif 000007
【図６】
2008038483.tif 000008
【図７】
2008038483.tif 000009
【図８】
2008038483.tif 000010
【図９】
2008038483.tif 000011
【図１０】
2008038483.tif 000012